Podtech/llm-jp-corpus-v4-ja_patent huggingface dataset:
(57)【要約】      （修正有）【課題】防水性、防風性にも対応可能で、防寒、ファッション性も兼ね備えた手袋を提供する。【解決手段】強靭な衣料生地Ｈ２Ｐを使用し、特殊な裁断・縫製技術を実施した。【選択図】図１
0003105940.tif 000002
【実用新案登録請求の範囲】
【請求項１】
リバーズ  ウェスト  アパレルのＨ２Ｐ素材を使用し、特殊な裁断・縫製技術により防水性、防風性、防寒性、ファッション性を具備した手袋。
【考案の詳細な説明】
【技術分野】
【０００１】本考案は強靭な衣料生地Ｈ２Ｐ素材を使用し、特殊な裁断・縫製技術により、防水性、防風性、防寒性を強化した手袋に関するものである。
【背景技術】
【０００２】手袋の用途は、もともと防寒用やファッション用が主で、ゴム手袋以外は防水性、防風性は殆どないのが現状である。
【考案の開示】
【考案が解決しようとする課題】
【０００３】防水性、防風性にも対応可能で、防寒、ファッション性も兼ね備えた手袋を志向するものである。
【課題を解決するための手段】
【０００４】本考案は、Ｈ２Ｐのウオータープルーフ素材を使用し、特殊な縫製・加工技術により、従来の手袋の課題を解決した。
【考案の効果】
【０００５】従来の手袋になかった防水・防風機能があり、防寒・ファッション性も兼ね備えているため、アウトドアやスポーツを中心に顧客を満足させることができる。
【考案を実施するための最良の形態】
【０００６】（０００４）により、従来からの課題を解決することができたため、テストマーケティングの結果は高評価を得ている。
【図面の簡単な説明】
【０００７】
【図１】Ｈ２Ｐ素材を使用し、特殊な縫製・加工した掌側平面図である。
【図２】掌側の抜き型平面図
【図３】手の甲側の抜き型平面図
【図４】中指、薬指の抜き型平面図
【符号の説明】
【０００８】  １  ステッチ（掌側は１ケ所のみ）    ５  アクリル（ドット）すべり止め
２  中指部                          ６  手の甲
３  薬指部                          ７  人差指部
４  掌                              ８  小指部
【図１】
0003105940.tif 000003
【図２】
0003105940.tif 000004
【図３】
0003105940.tif 000005
【図４】
0003105940.tif 000006
(57)【要約】【課題】地下水排水機能と地盤・斜面補強機能を併せ持った鋼製パイプの防錆機能を飛躍的に向上させることである。【解決手段】鋼製パイプ表面および内面に高耐食溶融めっきを施し、錆・腐食に強く、しかも、硬質の皮膜を形成することにより傷がつきにくくした、鋼製排水パイプを開発した。【選択図】図１
0003105936.tif 000002
【実用新案登録請求の範囲】
【請求項１】
土砂あるいは、岩盤からの地下水排除と地盤補強を目的とし、鋼管表面および内面に高耐食溶融めっきを施し、錆・腐食に強く、しかも、硬質の皮膜を形成することにより傷がつきにくくした、水抜穴があいた鋼製排水パイプ。
【考案の詳細な説明】
【技術分野】
【０００１】
本考案は、土砂あるいは、岩盤からの地下水排除と地盤補強を目的とした、排水補強パイプに関するものである。
【背景技術】
【０００２】
従来、盛土や風化して崩れやすくなった斜面を補強するには、ロックボルトやアンカーを用いて、地盤を補強し、安定を図っていた。
【０００３】
また、降雨が多かったり、地下水位が高い斜面では、地下水により崩壊するため、パイプに水抜穴をあけた塩ビパイプや鋼管を斜面に挿入して、地下水を排除し、斜面の安定を図っていた。
【０００４】
これら、地山補強と地下水の排除は別々の方法であるので、効率的な斜面安定対策として、水抜き穴のついた鋼製パイプも開発された。
【０００５】
しかし、パイプが鋼製であるので、錆に弱いという欠点がある。これを補うために亜鉛めっきをしても、鋼製パイプ挿入時の地山の土砂や岩盤との摩擦で、めっきが剥げ落ちるということが起こり、その効果が十分に発揮できないという問題が生じていた。
【考案の開示】
【考案が解決しようとする課題】
【０００６】
課題は、地下水排水機能と地盤・斜面補強機能を併せ持った鋼製パイプの防錆機能を飛躍的に向上させることである。
【課題を解決するための手段】
【０００７】
課題を解決するために、鋼製パイプ表面および内面に高耐食溶融めっきを施し、錆・腐食に強く、しかも、硬質の皮膜を形成することにより傷がつきにくくした、鋼製排水パイプを開発した。
【考案の効果】
【０００８】
本考案は、高耐食溶融めっき（亜鉛−アルミニウム−マグネシウムによるめっき）を、鋼製パイプに施すことにより、めっきに含有されるアルミニウム・マグネシウムの効果によって形成される緻密な保護皮膜によって、従来の亜鉛めっきに比較し、飛躍的にその耐食性と耐疵付性（傷のつき難さ）が向上し、土砂や岩盤に鋼管を挿入してもめっきがはがれないという特徴をもっている。
【０００９】
さらに、多少の傷や鋼製パイプ端部・水抜き穴部分断面については、高耐食溶融めっきから溶出した保護皮膜が傷や断面を覆い、耐食性が保たれるという特徴も併せ持っている。
【考案を実施するための最良の形態】
【００１０】
鋼板に高耐食溶融めっきを施し、これをパイプ状に加工し、地下水排水用の穴をあける。パイプの先端は閉塞し、地盤に挿入しやすい形状とする。１本の長さは1.8ｍと3.6ｍを基本とするが、継手を介してさらにパイプを連結できるものとする。
【図面の簡単な説明】
【００１１】
【図１】一般図
【図１】
0003105936.tif 000003
(57)【要約】      （修正有）【課題】絵画の引き立て役のマットを、四角形より別のイメージの抜き形にして、額縁の中で新しい物語が生まれるようにする。【解決手段】人物名文字、花や建物のシルエット形等をマットに４５°の角度で切り抜く。又、文字、花、人物、動物、建物のシルエットラインをＶ字形の溝に彫り込む。【選択図】図１
0003105990.tif 000002
【実用新案登録請求の範囲】
【請求項１】
額縁内のマットの切り抜き形を英字、カタカナ、ひらがな、漢字文字の形で、マットに対して４５°の角度で切り抜いたマット。
【請求項２】
額縁内のマットの切り抜き形を人物、動物、花、建物のシルエット形でマットに対して４５°の角度で切り抜いたマット。
【請求項３】
額縁内のマットに文字又は、人物、動物、花、建物等のアウトラインを、マットに、Ｖ字形の溝をマットの厚さに合せて彫り込んだマット。
【考案の詳細な説明】
【考案の詳細な明細】
【技術分野】
【０００１】額縁内マットに文字の形、人物、動物、花等のシルエットをマットに対して４５°の角度で切り抜く。
【背景技術】
【０００２】額縁内のマットは絵画や写真を引き立たせるため入れられているが、そのマットの抜き形は額縁の形、四角形でしかなかった。
【考案が解決しようとする課題】
【０００３】絵画の引き立て役のマットを、四角形より別のイメージの抜き形にして、額縁の中で新しい物語が生まれるようにする。
【課題を解決するための手段】
【０００４】マットに人物名等を配列して、それぞれの文字をマットに対して４５°の角度で切り抜く。
又、人物、動物、花、建物等のシルエットを配列して切り抜き、それぞれの切れ抜き部分に別々の写真、絵等を入りられるようにする。
又、文字や人物、動物、花、建物等のシルエットのアウトラインを、マットにＶ字の溝を彫り込み、マットに新しい美を生み出す。
【考案を実施するための最良の形態】
【０００５】額縁のマットに文字、又は、人物、動物、花、建物等のシルエットの形を配列して４５°の角度で切り抜く。又、マットに文字や人物、動物、花、建物等のアウトラインをマットの厚さに合せてＶ字の溝に彫り込む。
【実施例】
【０００６】以下の添付図面により実施例を説明する。
図１の▲１▼は額縁である。図１の▲２▼はマットである。▲２▼のマットの中に文字又は、人物、動物、花、建物等のそれぞれ必要とするシルエットを配列して４５°の角度で切り抜く。図１の▲３▼は切り抜かれたマットの文字の切り抜き部である。図１の▲４▼は１枚目の写真である。図１の▲５▼、▲６▼、▲７▼、▲８▼、は▲４▼と連続して人物名の抜き形になっていて、それぞれに▲４▼と連続した写真を▲５▼、▲６▼、▲７▼、▲８▼、の抜き形に入れるととで新しい物語りになる。図２の▲１１▼、▲１２▼、▲１３▼、▲１４▼は建物のシルエットの切れ抜き部である。それぞれの切り抜き部分に別々の写真、絵等を連続的に入れる。図２の▲１５▼、▲１６▼、▲１７▼、▲１８▼、▲１９▼、▲２０▼、▲２１▼は花と花びらの抜き形で抜き形の中にやはり、写真、絵等関連した物を入れることでドラマが生まれる。図１の▲２０▼は４５°の角度で切り抜かれた切断部である。図２の▲２１▼はＶ字形に彫られたシルエットの溝である。
【考案の効果】
【０００７】額縁マットに、人物名を切り抜き、切り抜き部分にその人物の写真又は絵等を入れることにより、１つの物語りが生まれ、イメージが新鮮に伝わる。建物、花、動物、人物等のシルエットを配列したり部分によりそのシルエットをＶ字の溝で彫り込むことで、もっと大きな効果が生まれ良い想い出が出来る。
【図面の簡単な説明】
【図１】額縁マットに人物名を切り抜いて、関連した連続写真を入れた、正面と側面図である。
【図２】額縁マットに建物と花のシルエットを切り抜き、写真を入れた正面と側面図である。
【符号の説明】
１    額縁
２    マット
３    文字の切り抜き部分
４    １枚目の写真
５    ２枚目の写真
６    ３枚目の写真
７    ４枚目の写真
８    ５枚目の写真
９    ガラス
１０  額縁の裏板
１１  建物形の切り抜き部と１枚目の写真
１２  建物形の切り抜き部と２枚目の写真
１３  建物形の切り抜き部と３枚目の写真
１４  花の切り抜き部と４枚目の写真
１５  花の切り抜き部と５枚目の写真
１６  花の切り抜き部と６枚目の写真
１７  花ビラの切り抜き部と７枚目の写真
１８  花ビラの切り抜き部と８枚目の写真
１９  写真
２０  ４５°の角度で切り抜かれた切断部
２１  Ｖ字形に彫ったシルエットの溝
【図１】
0003105990.tif 000003
【図２】
0003105990.tif 000004
(57)【要約】【課題】金属性玄関ドアで加工が困難な場合、あるいはマンション、アパートのため共用部分あるいは賃貸により居住者あるいは家主の承諾がないと加工が出来ない玄関において、画像表示が可能なインターホンを設置可能とする。また、受像した画像を、過去にさかのぼって確認可能とする。【解決手段】玄関ドアについている覗き窓の穴を使用して、呼び出しボタン、受像器、設定キーを有する屋外装置と、画像表示画面、応答ボタン、記録画像表示ボタンを有する屋内装置を接続ケーブルで接続すること、また屋外装置、屋内装置とも磁石あるいは両面テープにより固定することで設置する。また、屋外装置にある設定キーにより設定、解除することで、呼び出しボタン押下時および設定した範囲内に接近した人物の受像画面を自動的に記録するとともに、屋内装置の記録画像表示ボタンにより記録した受像画面を画像表示画面に表示する。【選択図】図１
0003105909.tif 000002
【実用新案登録請求の範囲】
【請求項１】
金属製ドアに設置するインターホンおいて
▲１▼ドアにある覗き窓の穴を使用して屋外側に呼び出しボタン、受像器、設定キーを有する屋外装置を、屋内側に画像表示画面、応答ボタン、記録画像表示ボタンを有する屋内装置を設置し、覗き窓用の穴に接続ケーブルを通して接続する構成である。また、玄関ドアに覗き窓がない場合はドアの表面にそって接続ケーブルを敷設することで、屋外装置と屋内装置を接続することも出来る。
▲２▼屋外装置および屋内装置とも磁気または両面テープにより固定する。
▲３▼屋外装置にある呼び出しボタンを押下することにより、屋内装置内のブザーが鳴動するとともに、屋内装置の画像表示画面に屋外装置の受像器で受像した画像を表示する。表示された画像は屋内装置内にある記録装置に記録される。
▲４▼屋内装置にある応答ボタンを押下することにより、屋外装置および屋内装置に内蔵するマイクとスピーカにより屋外と屋内で通話が出来る。
▲５▼屋外装置にある設定キーにて設定を行うことで、呼び出しボタンを押下した人物および設定した範囲内に接近した人物の画像を自動的に記録することが出来る。また、設定キーの押下により自動記録を解除できる。
▲６▼屋内装置にある記録画像表示ボタンを操作することにより、記録した画像を画像表示画面に表示できる。
以上からなる、ドア用画像表示・記録インターホンである。
【考案の詳細な説明】
【技術分野】
【０００１】  本考案は、金属製等の玄関用ドアに直接、設置する画像表示、記録可能なインターホンに関するものである。
【背景技術】
【０００２】近年、一戸建て、アパート、マンション等でピッキング等による空き巣、窃盗等の犯罪が多発している。このため、防犯用として画像表示できるインターホンの設置の要望があるが、近年の玄関ドアは鉄あるいはアルミニュームの金属を使用しており加工が困難なこと、またアパート、マンション等においては共有部分または賃貸により居住者または家主の承諾を得ないと自由に加工出来ないという問題がある。【０００３】  また、外出時に呼び出しボタンを押下した人物、あるいは玄関に接近し、または入った人物を記録することが出来ないことから、犯罪等が発生した場合、人物を特定出来ないという問題がある。
【考案の開示】
【考案が解決しようとする課題】
【０００４】  解決しようとする問題点は、金属製等により加工が困難、あるいは共用部分または賃貸により居住者、家主等の承諾を得ないと加工が出来ないことにより、自由に画像表示が出来るインターフォンが設置できない、また受像した画像を記録出来ないため、呼び出しボタン押下者の画像を確認出来ない、あるいは空き巣等の犯罪が発生した場合、後から確認出来ない点である。
【課題を解決するための手段】
【０００５】  本考案は、玄関ドアに通常ある覗き窓（確認用の小さな窓）の穴を利用して、呼び出しボタン、受像器、設定キーを有する屋外装置と、画像表示画面、応答ボタン、記録画像表示ボタンを有する屋内装置を覗き窓の穴あるいは玄関ドアの表面に沿って敷設した接続ケーブルで接続すること、また設定キーによる設定により、呼び出しボタン押下あるいは設定した範囲に接近した人物の画像を自動的に記録することを最も主要な特徴である。
【考案の効果】
【０００６】  玄関ドアについている覗き窓の穴を通して、呼び出しボタン、受像器、設定キーを有する屋外装置と、画像表示画面、応答ボタン、記録画像表示ボタンを有する屋内装置を接続ケーブルで接続出来ること、また屋外装置、屋内装置とも磁気または両面テープにより固定することで、玄関ドアの加工が不要である。また、呼び出しボタン押下、あるいは設定した範囲内に接近した人物の受像画面を自動的に記録するとともに、記録画像表示ボタンにより再生することで、空き巣等の犯罪において人物を特定出来る。
【考案を実施するための最良の形態】
【０００７】  玄関ドアについている覗き窓の穴を使用して屋外装置と屋内装置を接続ケーブルで接続する構成としたこと、また設定キーによる設定により自動的に呼び出しボタンを押下あるいは設定した範囲内に接近した人物の受像画像を記録するとともに、記録画像表示ボタンにより記録した画像を画像表示画面に表示出来る機能を実現した。
【図面の簡単な説明】
【０００８】
【図１】ドア用画像表示・記録インターホンの屋外装置および屋内装置の概観図である。
【図２】ドア用画像表示・記録インターホンを玄関用ドアに設置した時の設置図である。
【符号の説明】
【０００９】１  屋外装置
２  屋内装置
３  受像器
４  人が接近しているかどうかのセンサー
５  呼び出しボタン
６  マイク
７  設定キー
８  スピーカ
９  接続ケーブル
１０  応答ボタン
１１  マイク
１２  スピーカ
１３  画像表示画面
１４  記録画像表示ボタン
１５  玄関ドア
１６  玄関ドアの覗き窓
【図１】
0003105909.tif 000003
【図２】
0003105909.tif 000004
(57)【要約】【課題】携帯時の状態が装飾性に富み、誰でも抵抗感なく携帯することのできる携帯用孫の手を提供する。【解決手段】伸縮可能な柄２の一端部に人の手を模した形状の背掻き部３が設けられた孫の手本体４と、前記柄２を収縮させた状態にある前記孫の手本体４を覆うカバー６とを具備する構成とする。さらに好ましくは、前記柄２における前記背掻き部３と反対側の端部に人形の頭部を模した飾り５を取り付けるとともに、前記カバー６を人形の着衣に見立てた形態にし、携帯時の状態が一見して人形であるかのようにする。【選択図】図１
0003105955.tif 000002
【実用新案登録請求の範囲】
【請求項１】
伸縮可能な柄の一端部に人の手を模した形状の背掻き部が設けられた孫の手本体と、前記柄を収縮させた状態にある前記孫の手本体を覆うカバーとを具備してなることを特徴とする携帯用孫の手。
【請求項２】
前記柄における前記背掻き部と反対側の端部に人形の頭部を模した飾りを取り付けるとともに、前記カバーを人形の着衣に見立てた形態にした請求項１に記載の携帯用孫の手。
【考案の詳細な説明】
【技術分野】
【０００１】
この考案は、携帯に便利で、携帯時の状態が装飾性に富んだ携帯用孫の手に関する。
【背景技術】
【０００２】
一般に孫の手は、棒状の長い柄の一端部に人の手に模した形状の背掻き部が設けられた構成であって、長い柄が邪魔になり携帯には適していなかった。しかしながら、孫の手は、自宅では勿論、旅先や外出先等でも、有ると非常に重宝するものである。そこで、柄の部分を伸縮可能にすることにより、携帯可能にした孫の手が提案されている。
【特許文献１】実登第３０４１３８４号公報
【考案の開示】
【考案が解決しようとする課題】
【０００３】
特許文献１に記載の携帯可能な孫の手は、携帯のためのコンパクト化を主眼としたものであり、携帯時においても背掻き部が露出したままであるので、それが孫の手であることが誰の目にも明白であった。名称から連想される印象のせいか、孫の手は年配者が使用する物であるという一般認識があり、他人から若く見られたいと思う人には、孫の手を持つことに抵抗感が強い。従来、一部の例外（例えば特許文献１）を除いて、携帯用の孫の手がほとんど商品化されていなかったのは、上記のことが大きく起因していると思われる。このような実情に鑑み、本考案は、携帯時の状態が装飾性に富み、誰でも抵抗感なく携帯することのできる携帯用孫の手を提供することを課題としている。
【課題を解決するための手段】
【０００４】
上記課題を解決するために、本考案は次の構成とした。すなわち、請求項１に記載の携帯用孫の手は、伸縮可能な柄の一端部に人の手に模した形状の背掻き部が設けられた孫の手本体と、前記柄を収縮させた状態にある前記孫の手本体を覆うカバーとを具備してなることを特徴としている。
【０００５】
また、請求項２に記載の携帯用孫の手は、請求項１の内容に加えて、前記柄における前記背掻き部と反対側の端部に人形の頭部を模した飾りを取り付けるとともに、前記カバーを人形の着衣に見立てた形態にした。
【０００６】
使用時には、孫の手本体の柄を伸長させた状態にする。そして、柄の一部を握って孫の手本体を操作し、背掻き部で背中を掻く。携帯時には、孫の手本体の柄を収縮させた状態にし、孫の手本体の背掻き部及び柄をカバーで覆う。請求項２の構成によれば、携帯時の外観が衣装を着た人形のように見える。
【考案の効果】
【０００７】
本考案による携帯用孫の手は、孫の手本体の柄を収縮させて携帯することが可能であり、その携帯時には孫の手本体がカバーに覆われて見えないので、それが孫の手であることが他人に知られることがなく、誰でも抵抗感なく携帯できるものとなった。さらに、人形の頭部を模した飾りを取り付けるとともに、カバーを人形の着衣に見立てた形態とすれば、一見したところ人形のような装飾性に富んだ製品になる。
【考案を実施するための最良の形態】
【０００８】
以下、本考案の好ましい実施例について具体的に説明する。
【実施例】
【０００９】
図１は本考案による携帯用孫の手の使用時の状態を、図２はその携帯時の状態をそれぞれ表している。この携帯用孫の手１は、伸縮可能な柄２の一端部に人の手に模した形状の背掻き部３が設けられた孫の手本体４を備えている。柄２は、直径の異なる複数本（実施例では４本）の筒状体２ａ，２ｂ，２ｃ，２ｄを継ぎ足して構成されており、太い筒状体から細い筒状体を引き出すと伸長状態（図１参照）になり、太い筒状体の中に細い筒状体を収納すると収縮状態（図２参照）になるようになっている。
【００１０】
前記柄２における背掻き部３と反対側の端部には、人形の頭部を模した飾り５が取り付けられている。さらに、人形の着衣に見立てた袋状のカバー６が、柄２と飾り５の間に（着衣の）上部側を固定して設けられている。このカバー６の開口側の縁部（着衣の裾の部分）には紐７が取り付けられており、この紐７を結ぶことにより、カバー６の開口側を閉じられるようになっている。
【００１１】
使用時には、図１に示すように、柄２を伸長状態にする。そして、通常の孫の手と同様に、柄２の一部を握って孫の手本体４を操作し、背掻き部３で背中を掻くことができる。また、携帯時には、図２に示すように、柄３を収縮状態にする。このとき、孫の手本体４の柄２及び背掻き部３はカバー６に隠れ、人形の頭部を模した飾り５と人形の衣装に見立てたカバー６だけが見えるので、あたかも人形であるかのように見える。紐７を結んでカバー６の開口側を閉じれば、カバー６が捲くれあがらないので、孫の手であることが他人に知られることがなく、また、孫の手本体４が完全にカバー６で覆われるので、孫の手本体４の保護に好適である。
【００１２】
孫の手本体４に対して飾り５及びカバー６を着脱可能とし、複数種の飾り及びカバーを状況や気分に応じて交換できるようにしてもよい。
【００１３】
また、紐７を結んでカバー６の開口側を閉じる構成に対して、図３に示すように、面ファスナ部８によってより簡単に開閉できるようにしてもよい。
【産業上の利用可能性】
【００１４】
飾りとカバーとにより人形のように見せる構成は、つぼ刺激具やマッサージ具等の治療器具にも適用できる。
【図面の簡単な説明】
【００１５】
【図１】携帯用孫の手の使用時の状態を表す斜視図である。
【図２】携帯用孫の手の携帯時の状態を表す斜視図である。
【図３】別の実施例の携帯時の状態を表す斜視図である。
【符号の説明】
【００１６】
１  携帯用孫の手
２  柄
３  背掻き部
４  孫の手本体
５  飾り
６  カバー
７  紐
【図１】
0003105955.tif 000003
【図２】
0003105955.tif 000004
【図３】
0003105955.tif 000005
(57)【要約】【課題】本考案は、従来の砥石を置き、研ぐべき刃物を動かす砥石では上手に刃物が研げない人にも、簡単に、また、安全に刃物が研げる。砥石を手に持って刃物を研ぐ砥石を提供するものである。【解決手段】取り付ける砥石の間に部材を挟み、その部材に持ちやすく力が入るように、また、砥石を持った手の指が研ぐ刃物の刃に当り難いように指を入れる溝を掘り、更に、誤って滑った時に手首を護る部分を付けた。【選択図】図１
0003105956.tif 000002
【実用新案登録請求の範囲】
【請求項１】
持つ部分、及び、手首を護る部分になる部材に、砥石を取り付けたことを特徴とする砥石。
【考案の詳細な説明】
【考案の詳細な説明】
【技術分野】
【０００１】  本考案は、砥石を持ってその砥石を動かして刃物を研ぐ砥石に関する。
【背景技術】
【０００２】  従来、刃物の手研ぎ用の砥石は、砥石を置き研ぐべき刃物を動かすものが主流である。
また、両面に砥石を取り付けて、手に持ってその砥石を動かして刃物を研ぐ砥石も一部あるが、ただ小さい砥石を取り付けただけなので持ちにくく、力が入りにくい、また、その砥石を持った手の指が研ぐべき刃物の刃に当りやすく、誤って滑ったときにその刃物の刃に手首が当り怪我をする危険性があった。
【考案が解決しようとする課題】
【０００３】  本考案は、このため、取り付けた研石が持ちやすく力が入るように、また、砥石を持った手の指が研ぐ刃物の刃に当り難いように、更に、誤って滑った時に手首を護ることを課題としたものである。
【課題を解決するための手段】
【０００４】  上記した課題を解決するために、取り付ける砥石の間に部材を挟み、その部材に持ちやすく力が入るように、また、砥石を持った手の指が研ぐ刃物の刃に当り難いように指を入れる溝を掘り、更に、誤って滑った時に手首を護る部分を付けたことを特徴とする砥石である。
【実施例】
【０００５】  図１に示すように、砥石を手に持って刃物を研ぐ砥石は、３の部材の両面に砥石１と２を取り付け、溝４に指を入れて持ち、前後に動かして刃物を研ぐものである。また、研ぎの最中に誤って滑った時に手首を護る部分５を付けたものである。
従来の砥石を置き研ぐべき刃物を動かす砥石は、研ぐ部分が裏面になり見えず、また、研ぐべき刃物を持った持ち手が決まらず、丸研ぎになりやすく練習しないと上手に研ぐことが難しかったが、本考案の手に持ってその砥石を動かして刃物を研ぐ砥石であれば、図２に示すように、研ぐべき対象の刃物はまな板などに押し付けて固定でき、表面の研ぐ部分を見ながらその刃物を研げる。
【考案の効果】
【０００６】  この考案は、取り付ける砥石の間に部材を挟み、その部材に指を入れる溝を掘ったため、持ちやすく力が入り、また、砥石を持った手の指が研ぐ刃物の刃に当り難くした。
滑った時に手首を護る部分を付けたため、誤って滑っても手首を傷つけ難くした。
従来の砥石を置き研ぐべき刃物を動かす砥石は、研ぐ部分が裏面になり見えず、また、研ぐべき刃物を持った持ち手が決まらず、丸研ぎになりやすく練習しないと上手に研ぐことが難しかったが、本考案の手に持ってその砥石を動かして刃物を研ぐ砥石であれば、研ぐべき対象の刃物はまな板などに押し付けて固定でき、表面の研ぐ部分を見ながらその刃物を研げる。それ故、砥石を置き研ぐべき刃物を動かす砥石よりも容易に刃物を研げる。
【図面の簡単な説明】
【図１】  本考案に係る、砥石を手に持って刃物を研ぐ砥石の立体図である。
【図２】  本考案に係る、砥石を手に持って刃物を研ぐ砥石の使い方の説明図である。
【符号の説明】
１  荒砥石
２  仕上げ砥石
３  部材
４  指を入れる溝
５  手首を護る部分
【図１】
0003105956.tif 000003
【図２】
0003105956.tif 000004
【手続補正書】
【提出日】平成16年7月16日(2004.7.16)
【手続補正１】
【補正対象書類名】実用新案登録請求の範囲
【補正対象項目名】全文
【補正方法】変更
【補正の内容】
【実用新案登録請求の範囲】
【請求項１】
側面に持つ部分である指を入れる溝を有し、使うときに手首を護る部分を有する部材の両面に、砥石を取り付けたことを特徴とする砥石。
(57)【要約】【課題】  本考案は、室内の壁を改造せずに映画や音楽を楽しみ、引越しに際して簡単に解体及び移動・組立が出来るパネル組立ボックスである。又、外の騒音を気にせず読書が楽しめ、エアコンを効率よく使える、省エネ型多目的空間を確保する。【解決手段】  本考案は、事前に壁、床、天井及びドアの防音パネルを工場で作り、居室で組立てる。パネルは軽量化の為、木製合板・ゴムを使い空洞をつくり１人でも組立てられる様な重量とし強度を補強する為、骨材を内側からパッキンのついたネジで止める。それにより、ボックス内で音楽を楽しむだけでなく、騒音の多い集合住宅や、交通量の多い国道沿いなどの地域でも、静かに読書や睡眠をとる事が出来る。又、分煙が叫ばりている今、熱交換機能付き換気扇が装備されているので喫煙室として使用することも出来る。  又、今流行の、アロマセラピーのリラックスルームとしても有効である。【選択図】  図１
0003105957.tif 000002
【実用新案登録請求の範囲】
【請求項１】
壁パネル、床パネル、天井パネル、ドアパネルを木及び、ゴムを使い、外部から骨材に取付け、内側よりネジ止めする。パネルは空洞を設ける事により防音及び、軽量化を計り、ジョイント部分に凹凸を設ける事を特徴としたパネル組立式ボックス。
【考案の詳細な説明】
【技術分野】
【０００１】  本考案は、パネル組立により、誰にでも簡単に組立てられるボックスである。
【背景技術】
【０００２】  音響の防音と言うと、室内の壁・床及び天井を防音材にして外部に音が漏れるのを防いでいた、しかし、アパート・マンション等の賃貸物件内においては、改修が出来ず、改修が出来たとしても、コストがかさむ。又、従前の特許第２９６６３９９号のような組立式防音室が存在する。この防音室は、防音性能を有する複数枚のパネルを内側から組立金具で締結固定し防音室を形成するものであった。そして、楽器の練習やボーカルの発声練習等の用途に使用するものであった。
【考案の開示】
【考案が解決しようとす課題】
【０００３】  しかし、パネル同士の一部分を繋ぎ止めてる為、パネル自体を耐力壁として強度をあげざるをえず、パネルの重量が嵩み、１人で組立てる事は困難でありしかも、組立金具の収まりが悪かった。
【課題を解決する為の手段】
【０００４】  本考案は、営業用と言うよりも、個人が自宅で音響を楽しむことを主目的にしており、上記の発明とは違い、１人で組立て及び解体・移動が出来る為の考案である。まず、パネル本体を軽量化する為、木製合板を使い内部に耐震の為のゴム、構造体としての角材、又耐震の為のゴムそして合板と内部が空洞になる様に構成されている。それにより空気の遮音層が出来又、軽量化にもなる。しかし、それではパネル自体の強度では、全体の強度を保てない為、内部に骨材を組む事によりボックスとしての機能を果す事が出来る。その事により、パネル同士を繋ぐ組立金具のような物は不要となり、無用な出っ張り無くした。
【考案の効果】
【０００５】  従来、オーディオルームは持家の高額所得に限られていたものが、借家で安価に楽しめる様になり又、借家といえば、転居する可能性もあるが軽量化する事により簡単に転居先へ移動そして組立と１人で行う事が出来る。
【考案を実施する為の最良の形態】
【０００６】  上述の様に、自宅の室内にて組立てる事により、必要に応じて使い別ける事が出来る。まず、音楽を楽しみたいのならボックス内にＤＶＤ等を設置して反対に、外部の音を遮断する書斎として利用する事も出来、今問題となっている共同住宅の上下階又は、左右からの物音の為に、安眠出来ない人の為に寝室としても使用できるがそれ以上に、ボックス内の空調ですむ為、エアコン等の省エネにつながる。又、分煙が叫ばれている今、ボックス内にエアコン及び、熱交換機能付き換気扇を装備する事により自宅内に喫煙室を設ける事ができる。この様にして軽量化を図る事により各種の要望に応じた個人の部屋を作り出す事ができる。
【実施例】
【０００７】  以下、添付図面に従って一実施例を説明する。記載の実施例は、書斎及びミニシアターとして利用した場合の例である，【０００８】  パネルを〔図４〕の様に持ち運び出来る大きさに工場にて作成する。内部の構造としては、〔図３〕の様に、２枚の合板に耐震ゴムを貼り空洞をつくり、両端に構造体としての角材を挟む、これを〔図６〕の骨材にゴムパッキンのついたネジにて内側より止めて仕上げ、〔図５〕の様にパネルを組立てる又、▲１３▼の様に凹凸をつける事により防音効果及び、密着度が増し構造的にも強固になる。▲１５▼は骨材（アングル）の断面図であるが、▲１４▼のカーペットがより防音効果を高める。
そして床に接する部分の▲８▼に措いては耐震ゴムをボックスの大きさに応じて配置する。
〔図２〕の様に、▲５▼エアコン、▲３▼熱交換機能付き換気扇を設ける事により効率の良い空調が出来、万が一停電になっても自然換気が出来る換気扇なので密閉による中毒は無い。【０００９】  本実施例の書斎タイプは、▲６▼の折畳みテーブルが特徴であるが必要に応じて組み合わす事が出来る。
【図面の簡単な説明】
【００１０】
【図１】本考案の平面図である。
【図２】出入口側から見た断面図である。
【図３】パネルの構成図である。
【図４】パネルの全体図である。寸法は用途に応じて変わる。
【図５】パネル組立時ジョイント部分の断面図である。
【図６】骨組みのパース図である。
【図７】完成パース図である。
【符号の説明】
【００１１】▲１▼パネル
▲２▼スピーカーを設置する位置
▲３▼熱交換機能付き換気扇
▲５▼エアコン
▲４▼カウンター
▲６▼開閉式デスク
▲７▼オーディオ周辺機器スペース
▲８▼防振ゴム
▲９▼照明
▲１０▼化粧合板
▲１１▼ゴムマット
▲１２▼角材
▲１３▼パネルのジョイント
▲１４▼カーペット
▲１５▼骨材
▲１６▼ゴムパッキン付きネジ
【図１】
0003105957.tif 000003
【図２】
0003105957.tif 000004
【図３】
0003105957.tif 000005
【図４】
0003105957.tif 000006
【図５】
0003105957.tif 000007
【図６】
0003105957.tif 000008
【図７】
0003105957.tif 000009
【手続補正書】
【提出日】平成16年7月23日(2004.7.23)
【手続補正１】
【補正対象書類名】実用新案登録請求の範囲
【補正対象項目名】〔請求項１〕
【補正方法】変更
【補正の内容】
【請求項１】
壁パネル、床パネル、天井パネル、ドアパネルを木及び、ゴムを使い、外部から骨材に取付け、内側よりネジ止めし、パネルは空洞を設ける事により防音及び、軽量化を計り、ジョイント部分に凹凸を設ける事を特徴とした軽量防音ボックス。
(57)【要約】      （修正有）【解決手段】電源は自動車用バッテリー又はＡＣアダプターを用いて、ペルチエ素子に電流を流しスイッチで電源の極性を切替え、保冷、保温が出来、熱をある範囲に効率良く伝える為にペルチエ素子に熱伝導板を取付けてペルチエ素子の熱変換効率を高める。【効果】クール・ホット・ドリンクホルダーを使用することにより、何時でも適温を保ち最後まで美味しく飲むことが出来る。【選択図】図１
0003105952.tif 000002
【実用新案登録請求の範囲】
【請求項１】
ペルチエ素子．ヒートシンク．ＤＣファン．極性切替えスイッチ．熱伝導板．電源に自動車用バッテリー又はＡＣアダプターの組合せによる、クール＆ホット．ドリンクホルダー
【考案の詳細な説明】
【孝案の詳細な説明】
【考案が解決しようとする課題】
【０００１】  自動販売機でホットなコーヒー又はクールなジュース類を買っても最初は飲みごろの温度で美味しく飲めますが少し時間が過ぎますと美味しくなくなってしまいます。
【課題を解決するための手段】
【０００２】  ペルチエ素子の特性は電流方向を変えることにより温度を上げたり下げたりすることが出来ます、この特性を用いることにより小型で騒音の少ないクール＆ホット．ドリンクホルダーを製作することが可能になる。
【考案の効果】
【０００３】  クール＆ホット．ドリンクホルダーを使用する事により、何時でも適温を保ち最後まで美味しく飲むことが出来ます。
【産業上の利用分野】
【０００４】  レジャー
【図面の簡単な説明】
【図１】クール＆ホット．ドリンクホルダーブロック図
【図２】クール＆ホット．ドリンクホルダー外観図
【符号の説明】
１．ペルチエ素子
２．ヒートシンク
３．ＤＣファン
４．極性切替えスイッチ
５．車用シガーライターコード
６．ＡＣアダプター
７．熱伝導板
【図１】
0003105952.tif 000003
【図２】
0003105952.tif 000004
【手続補正書】
【提出日】平成16年7月8日(2004.7.8)
【手続補正１】
【補正対象書類名】実用新案登録請求の範囲
【補正対象項目名】全文
【補正方法】変更
【補正の内容】
【実用新案登録請求の範囲】
【請求項１】
電源は自動車用バッテリー又はＡＣアダプターを用いて、ペルチエ素子に電流を流しスイッチで電源の極性を切替え、保冷、保温が出来、熱をある範囲に効率良く伝える為にペルチエ素子に熱伝導板を取付けてペルチエ素子の熱変換効率を高めている、
上部開放型クール＆ホット．ドリンクホルダー。
(57)【要約】      （修正有）【課題】腰掛式便器を利用して立って小用を足す際、尿が周囲に飛散するのを防止する装置を提供する。【解決手段】トイレルーム内に本考案による胴体中央部を長くし座面を高くした大小兼用腰掛式便器１を設置し手前足元床部分６に任意の人用電動式昇降リフト４を設置する。腰掛式便器１の胴体中央部３を縦に長くする事によって座面２は、従来製品の座面位置８より極端に放尿部位７に接近し周囲への尿飛散は防止出来る。【選択図】図１
0003105954.tif 000002
【実用新案登録請求の範囲】
【請求項１】
腰掛式便器の胴体中央部を縦に長くし便座の座面が床面より６０ｃｍ以上の高さを有する超高座大小兼用腰掛式便器。
【請求項２】
超高座大小兼用腰掛式便器の手前足元部分に電動式人用昇降リフトを設置する事。
【考案の詳細な説明】
【技術分野】
【０００１】トイレ用腰掛式便器
【背景技術】
【０００２】腰掛式便器を利用して成人男子が立って小用を足す際、尿が周囲へ飛散するのを防止する機能を持った便器がなかった。
【考案の開示】
【考案が解決しようとする課題】
【０００３】腰掛式便器を利用して立って成人男子が小用を足す際、尿が周囲へ飛散するのを防止する事を目的とする。
【課題を解決するための手段】
【０００４】以下〔図１〕〔図２〕に基づいて説明する。腰掛式便器１の胴体中央部３を長くし座面位置２を極端に高くする事によって放尿部位７との距離を縮める。
【考案の効果】
【０００５】腰掛式便器１の胴体中央部３を縦に長くする事によって座面２は、従来製品の座面位置８より極端に放尿部位７に接近し周囲への尿飛散は防止出来る。
【考案を実施するための最良の形態】
【０００６】腰掛式便器１の胴体中央部３を縦に長くし座面２を高くする、且つ手前の足元床部６に人用電動昇降リフト４を設置する。
【実施例】
【０００７】座面２が床面６より６０ｃｍ以上の高さを有する胴体中央部３が縦に長い大小兼用腰掛式便器１を設置し、且つ手前足元床部６に横幅６０ｃｍ奥行５０ｃｍ高さ８ｃｍ〜２８ｃｍの人用電動昇降リフト４を設置する。
【産業上の利用可能性】
【０００８】現在個人向け新築住宅の大半は腰掛式便器が採用されており、特に低層高層マンションのコンクリート床上に簡単に設置出来る衛生設備であり、満足度と需要と経済効果は計り知れない。
【図面の簡単な説明】
【０００９】
【図１】｛本考案で小用を足す際の使用状態を示す利用状況図である」
【図２】「本考案で大用を足す際の使用状態を示す利用状況図である」
【符号の説明】
【００１０】１  胴長腰掛式便器
２  便座面
３  胴体中央部
４  人用電動昇降リフト
５  昇降機械部
６  手前足元床面
７  放尿部位
８  従来製品の座面の位置
【図１】
0003105954.tif 000003
【図２】
0003105954.tif 000004
【手続補正書】
【提出日】平成16年7月7日(2004.7.7)
【手続補正１】
【補正対象書類名】実用新案登録請求の範囲
【補正対象項目名】全文
【補正方法】変更
【補正の内容】
【実用新案登録請求の範囲】
【請求項１】
腰掛式便器（１）の胴体中央部（３）を縦に長くし便座の座面（２）が床面（６）より６０ｃｍ以上の高さを有する超高座大小兼用腰掛式便器。
【請求項２】
超高座大小兼用腰掛式便器の手前足元部分（６）に電動式人用昇降リフト（４）を設置することを特徴とする請求項１記載の超高座大小兼用腰掛式便器。
(57)【要約】      （修正有）【課題】腰掛式便器を利用して立って小用を足す際、尿が周囲に飛散するのを防止する装置を提供する。【解決手段】一辺が縦４０ｃｍ、横巾５０ｃｍの床板（１）の前部に高さ１５ｃｍの蹴返し部（５）を設置し、両側には下方に伸びる三角形の横板（１２）の両側面に各々３個の滑車（３）を固着し且つケース本体（６）の内側面に埋め込まれたＣ型レール（４）内に装着することによって、床板（１）の昇降は安定する。また床板（１）の裏面と本体（６）の底面を伸縮自在棒（７）を介して電動稼動機器（２）を固着する。叉床板（１）の前後には保護壁面板（８）を設置し全てをケース本体（６）内に収容する。【選択図】図２
0003105951.tif 000002
【実用新案登録請求の範囲】
【請求項１】
〔図１〕〔図２〕に基づいて、コの字型床板（１）の前部に蹴返し部（５）を、その両側には下方に伸びる三角形の横板（１２）に滑車（３）を固着し、且つ本体（６）内の壁面に固着したＣ型レール（４）に滑車（３）を装着する、又はチェーン、支持金物等を用い電動式その他動力稼動機器を用いてコの字型床板（１）を昇降させる腰掛式便器用尿飛散防止装置。
【考案の詳細な説明】
【技術分野】
【０００１】トイレ用腰掛式便器
【背景技術】
【０００２】腰掛式便器を利用して成人男子が立って小用を足す際、尿が周囲へ飛散するのを防止できなかった。
【考案の開示】
【考案が解決しようとする課題】
【０００３】腰掛式便器を利用して立って小用を足す際、尿が周囲へ飛散するのを防止するこ事を目的とする。
【課題を解決するための手段】
【０００４】腰掛式便器手前の足元部分の床板を動力で下降させる事によって便器と放尿部位との距離を縮める。
【考案の効果】
【０００５】以下〔図１〕〔図２〕に基づいて説明する。腰掛式便器（１１）手前の足元部分の床板（１）を下げる事によって、男性の放尿部位（９）は“放尿部位（１０）へと下降し腰掛式便器（１１）に大幅に接近し、便器外への尿の飛散は極端に減少する。
【考案を実施するための最良の形態】
【０００６】床板（１）の前部に蹴返し部（５）を、その両側には下方に伸びる三角形の横板（１２）に滑車（３）を設置し、且つ本体（６）の内側面に固着したＣ型レール（４）に装着し、且つ床板（１）を昇降させる電動式稼動機器（２）を以って構成する床下収納型装置。
【実施例】
【０００７】一辺が縦４０ｃｍ、横巾５０ｃｍの床板（１）の前部に高さ１５ｃｍの蹴返し部（５）を設置し、両側には下方に伸びる三角形の横板（１２）の両側面に各々３個の滑車（３）を固着し且つケース本体（６）の内側面に埋め込まれたＣ型レール（４）内に装着することによって、床板（１）の昇降は安定する。また床板（１）の裏面と本体（６）の底面を伸縮自在棒（７）を介して電動稼動機器（２）を固着する。叉床板（１）の前後には保護壁面板（８）を設置し全てをケース本体（６）内に収容する。
【産業上の利用可能性】
【０００８】現在個人向け新築住宅の９０％以上は腰掛式便器が採用されており、新築住宅及び中古住宅にも床下収納型で簡単に設置出来、主婦にとっては待望の文化的衛生設備であり、満足度と経済効果は計り知れない。
【図面の簡単な説明】
【０００９】
【図１】「本体（６）の設置状態及び使用状態を示す利用状況図である」
【図２】「本体（６）内昇降装置の構成状態を示す横断面見取図である」
【符号の説明】
【００１０】１）  コの字型床板
２）  動力式稼動機器
３）  滑車
４）  Ｃ型レール
５）  蹴返し板
６）  本体収納ケース
７）  伸縮自在棒
８）  保護壁面板
９）  放尿部位
１０）“放尿部位
１１）腰掛式便器
１２）三角形の横板
【図１】
0003105951.tif 000003
【図２】
0003105951.tif 000004
【手続補正書】
【提出日】平成16年7月7日(2004.7.7)
【手続補正１】
【補正対象書類名】実用新案登録請求の範囲
【補正対象項目名】全文
【補正方法】変更
【補正の内容】
【実用新案登録請求の範囲】
【請求項１】
一辺が約５０ｃｍ角の方形床板（１）の前辺に低い蹴返し板（５）を又両側辺には下方に伸びる三角形の横板（１２）でなる変形床板（１）、且つ横板（１２）の各々外面に複数の滑車（３）を上下方向に固着する、且つ本体収納ケース（６）内の両側面に縦方向に固着したＣ型レール（４）内に滑車（３）を装着し、方形床板（１）の裏面に装着した伸縮式電動稼動装置（２）を用いて方形床板（１）を昇降させる腰掛式便器用尿飛散防止装置。
(57)【要約】      （修正有）【課題】照明と外部スイッチの間に設置してあることで，地震．災害時の避難がすばやく安全に行動が出来るよう照明を非常灯に変える家庭用耐震電源システムの提供。【解決手段】電源装置の構造を有する体内に、少なくても電源ユニット及び震動センサー、自動制御ユニットを備えてなることを特徴とする。【選択図】図１
0003105953.tif 000002
【実用新案登録請求の範囲】
【請求項１】
通常の照明を地震，災害時に非常照明に切り替えられる特徴をもち，照明と外部スイッチの間に設置する装置。
【考案の詳細な説明】
【考案の詳細な説明】
【技術分野】
【０００１】この考案は非常用電源装置に震動センサーを組み込んだ装置に関するもの出ある。
【背景技術】
【０００２】従来の非常用電源装置は停電の時，補助電源に切り替えて負荷を点灯させる抱けの装置で人が多く集まる室内に設置されており，照明とは別に設置されているので家庭用に設置するには不向きであり，その欠点を除くために考案されたものである。
【考案が解決しょうとする課題】
【０００３】この考案は家庭用に設置を考え製作に当たり現在取り付けてある照明を地震や災害のときに避難が困難にならないよう震動や非常電源で照明を付ける装置を開発しょうとするものである。
【課題を解決するための手段】
【０００４】従来の非常用電源装置を家庭用に設置するには不向きであり新しく試作品を考案し家庭用耐震補助電源システムの取り付ける配置を特定し，どんな形サイズにするか試作品を作り，構造的に簡単な回路にし，自動回路を用いて操作ボタン１個でコントロールできる構造を作り上げた。
【考案を実施するための最良の形態】
【０００５】本考案はトランス．充電器．スイッチ回路．３端子回路．リレー．インバーター．震動センサー．１２Ｖバッテリーから構成されておりトランスが１２Ｖ電源と６Ｖ電源を作り出す，通常は照明として使用でき外部スイッチと震動スイッチが非常灯に変えることができ，これを図面２で説明すると▲１▼照明が負荷になり▲２▼外部スイッチとの間に，本考案の▲３▼家庭用耐震補助電源システムを設置し▲４▼商用電源１００Ｖを▲３▼家庭用耐震補助電源システムに入力することで▲１▼照明を▲２▼外部スイッチと▲３▼家庭用耐震補助電源システムでコントロールできる。
【実施例】
【０００６】トランスで作られた１２Ｖ電源は入力電源が１８Ｖ〜２０ＶになりＩＣ７２３を使った充電器とリレー．スイッチ回路を形成し充電器の電圧が１４．４２Ｖで充電を停止しバッテリーを満タン充電常態を保ちつつ電流が流れていることが重要であり，スイッチ回路のＩＣ３９３が電圧を制御しトランジスター２ＳＤ１１９２で確実な自動制御を可能にした，また停電時は電流がバッテリーからトランジスター２ＳＤ１１９２のコレクターからエミッターに流れ，制御リレーがインバーターの入力へ１２Ｖを送り，インバーターで作られた１００Ｖ電源を，負荷とスイッチに電源を送り照明が非常灯になる形成を作り上げた，またインバーターが破損しないようインバーターの電源が安定するまで，（通電３秒後）にスイッチが入るよう，タイマーリレーが組み込まれている。
６Ｖ電源は３端子レギレータ回路のトランジスター７８０６で６．０２Ｖを作り震動センサーの電源と６Ｖ制御リレーに入力し外部スイッチと震動センサーのスイッチ制御リレーをコントロールすることでスイッチ回路のサポート役をし操作をボタン１個でコントロールできる構造を作り出す事ができた。
【考案の効果】
【０００７】この考案により家庭用耐震補助電源システムが室内の照明を地震．災害時に非常灯に変えることができ避難が素早く行動に移れて，被害を最小減に防ぐ事が出来る。また障害者や独居高齢者や小さな子どもさんのおられる所など停電．災害時の不安感を和らげてくれる装置である。
また太陽電池を取り付け太陽光で充電し情報を知る製品などの非常用電源にも使え，非常用無線機の電源としても使える。
【図面の簡単な説明】
【図１】本考案の回路図である。
【図２】本考案の取り付け配置図である。
【符号の説明】
▲１▼照明  ▲２▼外部スイッチ  ▲３▼家庭用耐震補助電源システム  ▲４▼商用電源（１００Ｖ）
【図１】
0003105953.tif 000003
【図２】
0003105953.tif 000004
【手続補正書】
【提出日】平成16年6月28日(2004.6.28)
【手続補正１】
【補正対象書類名】実用新案登録請求の範囲
【補正対象項目名】全文
【補正方法】変更
【補正の内容】
【実用新案登録請求の範囲】
【請求項１】
電源装置の構造を有する体内に、少なくても電源ユニット及び震動センサー．自動制御ユニットを備えてなることを特徴とする家庭用耐震補助電源システム。
(57)【要約】【課題】頭脳活性、首筋、肩の疲労につき回復の一助となるべき方法を提供したい。【解決手段】適切な間隔をもってテープにより連結をされた押圧突起を配置したプレートと重量のほぼ等しい他のプレートを身体に装着して、壁または椅子を利用し自身の体重を作用させて、目的を達成したい。【選択図】図１
0003105945.tif 000002
【実用新案登録請求の範囲】
【請求項１】
適切な長さを有する二本のテープの一方にツボ押さえ用の押圧突起数個を備えたプレートを接続し、他方に該プレートと重量のほぼ等しいバランサー用プレートを接続して成るツボ押さえ用プレート。
【考案の詳細な説明】
【技術分野】
【０００１】この考案は頭脳活性、および首筋、肩の疲労、凝りにつき回復に貢献するための、ツボ押さえ用のプレートに係るものである。
【背景技術】
【０００２】これまでのものは使い勝手があまりよろしく無い。
【考案の開示】
【考案が解決しようとする課題】
【０００３】使い勝手がよろしく心地よく効果の大なること。
【課題を解決するための手段】
【０００４】ツボ押さえ用の押圧突起数個を設けたプレートに二本のテープを取り付け、該プレートを背中に位置させて頭部を二本のテープの間に入れて肩を周回させ胸部の適当な位置に長さを設定する。
該プレートとほぼ等しい重量のプレートを胸部に回したテープに取り付け、バランスをとる。
このように構成したから胸部のプレートを上下させれば背中の押圧突起は任意の位置に設定が可能となる。
その後、壁または椅子に寄りかかり自身の体重を作用させれば強弱、位置共に意思通り作用が任意となり目的を達成することができる。
【考案の効果】
【０００５】扱いやすく効果が絶大。
【考案を実施するための最良の形態】
【０００６】プレートの素材としては、化成品、または金属のいずれでも可能と思われる。
テープは布または化成品の適切な素材を選択する。
【実施例】
【０００７】首筋あるいは肩の両方のツボ押さえを実施するためにはプレートの大きさとして横１４センチ縦１０センチ程度で理想的に配列が可能である。
【産業上の利用可能性】
【０００８】価格の予想として、製作原価は千円内外で可能と思われるからその流通は小さくは無いと想定できる。
【図面の簡単な説明】
【０００９】
【図１】考案の斜視図
【図２】装着を示す略図。
【符号の説明】
【００１０】  １  プレート                ２  ツボ押さえ押圧突起
３  テープ                  ４  バランサー用プレート
【図１】
0003105945.tif 000003
【図２】
0003105945.tif 000004